【手続補正書】
【提出日】平成17年3月24日(2005.3.24)
【手続補正１】
【補正対象書類名】明細書
【補正対象項目名】特許請求の範囲
【補正方法】変更
【補正の内容】
【特許請求の範囲】
【請求項１】
予め設定された複数種類の医療行為のうちのいずれかを示す医療行為データを、一連の医療計画をなす複数の医療行為を示す該複数の医療行為データを一組とするデータセットとして(i)少なくとも主訴を含む予め設定された複数種類の患者属性のうちの個々の患者属性に割り当てられる患者属性コード及び(ii)予め設定された複数種類の疾病のうちの個々の疾病に割り当てられる疾病コードの少なくとも一方に対応付けて、格納する複数のファイル手段と、
特定の患者についての一連の医療計画をなす、実行時期が設定された複数の医療行為を夫々示す複数の医療行為データを所定フォーマットで表示する表示手段と、
前記医療行為データが前記所定フォーマットで表示された状態において、前記医療行為データを少なくとも部分的に変更可能であると共に、前記特定の患者に対して将来行われる予定の医療行為に対応する、前記特定の患者の属性に応じた前記患者属性コード及び前記特定の患者の疾病に応じた前記疾病コードの少なくとも一方を指定可能な入力手段と、
前記入力手段を介して前記患者属性コード及び疾病コードの少なくとも一方の指定があると、前記特定の患者の状態に応じた変更後における前記特定の患者に関する医療計画に用いられる医療行為データとして、前記複数のファイル手段から前記指定された少なくとも一方に対応するデータセットを取得する処理手段と
を備えており、
前記表示手段は、前記特定の患者の状態に応じた医療行為データを表示するように、前記取得されたデータセットに基づいて前記所定フォーマットによる複数の医療行為データの表示内容を変更する
ことを特徴とする医療計画作成支援システム。
【請求項２】
前記所定フォーマットは、前記複数の医療行為データを前記実行時期順に並べるフォーマットであることを特徴とする請求項１に記載の医療計画作成支援システム。
【請求項３】
前記入力手段は、前記特定の患者に対して将来行われる予定の医療行為に代えて又は加えて、いずれか一つが択一的に将来行われる予定の複数の医療行為候補に対応する、前記患者属性コード及び前記疾病コードの少なくとも一方を指定可能であり、
前記処理手段は、前記複数の医療行為を示すデータセットに代えて又は加えて、前記複数の医療行為候補を夫々示す複数のデータセットを取得し、
前記表示手段は、該取得された複数のデータセットに基づいて、前記所定フォーマットで、前記複数の医療行為を夫々示す医療行為データに代えて又は加えて、前記複数の医療行為候補を夫々示す複数の医療行為データを表示することを特徴とする請求項１又は２に記載の医療計画作成支援システム。
【請求項４】
前記所定フォーマットは、前記択一的に実行される予定の複数の医療行為候補を、実行時期候補順に並べるデシジョンツリーのフォーマットであることを特徴とする請求項３に記載の医療計画作成支援システム。
【請求項５】
前記複数のファイル手段は、前記医療行為データに加えて、前記一連の医療計画をなす複数の前記医療行為の各々について少なくとも相対的な実行時期を設定するための設定手順情報を夫々含み、
前記処理手段は、前記設定手順情報に従って、所定の時間軸上における前記複数の医療行為の少なくとも相対的な実行時期を設定する
ことを特徴とする請求項１から４のいずれか一項に記載の医療計画作成支援システム。
【手続補正２】
【補正対象書類名】明細書
【補正対象項目名】０００９
【補正方法】変更
【補正の内容】
【０００９】
【課題を解決するための手段】
請求項１に記載の医療計画作成支援システムは上記課題を解決するために、予め設定された複数種類の医療行為のうちのいずれかを示す医療行為データを、一連の医療計画をなす複数の医療行為を示す該複数の医療行為データを一組とするデータセットとして(i)少なくとも主訴を含む予め設定された複数種類の患者属性のうちの個々の患者属性に割り当てられる患者属性コード及び(ii)予め設定された複数種類の疾病のうちの個々の疾病に割り当てられる疾病コードの少なくとも一方に対応付けて、格納する複数のファイル手段と、特定の患者についての一連の医療計画をなす、実行時期が設定された複数の医療行為を夫々示す複数の医療行為データを所定フォーマットで表示する表示手段と、前記医療行為データが前記所定フォーマットで表示された状態において、前記医療行為データを少なくとも部分的に変更可能であると共に、前記特定の患者に対して将来行われる予定の医療行為に対応する、前記特定の患者の属性に応じた前記患者属性コード及び前記特定の患者の疾病に応じた前記疾病コードの少なくとも一方を指定可能な入力手段と、前記入力手段を介して前記患者属性コード及び疾病コードの少なくとも一方の指定があると、前記特定の患者の状態に応じた変更後における前記特定の患者に関する医療計画に用いられる医療行為データとして、前記複数のファイル手段から前記指定された少なくとも一方に対応するデータセットを取得する処理手段とを備えており、前記表示手段は、前記特定の患者の状態に応じた医療行為データを表示するように、前記取得されたデータセットに基づいて前記所定フォーマットによる複数の医療行為データの表示内容を変更することを特徴とする。
【手続補正３】
【補正対象書類名】明細書
【補正対象項目名】００１０
【補正方法】変更
【補正の内容】
【００１０】
請求項１に記載の医療計画作成支援システムによれば、複数のファイル手段には、予め設定された複数種類の医療行為を示す医療行為データが、一連の医療計画をなす複数の医療行為を示す該複数の医療行為データを一組とするデータセットとして、患者属性コード及び疾病コードの少なくとも一方に対応付けられて、格納される。そして動作時には、特定の患者についての一連の医療計画をなす、実行時期が設定された複数の医療行為を夫々示す複数の医療行為データが、表示手段により所定フォーマットで表示される。このように医療行為データが所定フォーマットで表示された状態において、医師等の医療計画作成者により、例えばキーボード、マウス等の入力手段を介して、医療行為データが少なくとも部分的に変更される。或いは、特定の患者に対して将来行われる予定の医療行為に対応する、特定の患者の属性に応じた患者属性コード及び特定の患者の疾病に応じた疾病コードの少なくとも一方が、入力手段を介して指定される。このような指定は、例えばハードディスク、フロッピーディスク等に構築された複数のファイル手段に対して行われる。特に、入力手段を介して患者属性コード及び疾病コードの少なくとも一方の指定があると、ＣＰＵ等の処理手段によって、特定の患者の状態に応じた変更後における、特定の患者に関する医療計画に用いられる医療行為データとして、複数のファイル手段から、指定された少なくとも一方に対応するデータセットが取得される。すると、取得されたデータセットに基づいて、例えば計画表や計画リスト等の所定フォーマットで表示されている、複数の医療行為データの表示内容が、表示手段によって変更され、特定の患者の状態に応じた医療行為データが表示されることになる。このように、表示手段では、例えば主訴等の属性や疾病、或いは容態の変化といった、特定の患者の状態に応じて適宜変更された表示を行うことが可能となる。
以上説明したように、入力手段により疾病コード又は患者属性コードを指定することで、患者の状態に応じたデータセットを指定できるので便利であり、医療計画の変更作業についても迅速に行うことが可能となる。特に各疾病コードに応じた標準的な医療計画や患者属性コードに応じた標準的な医療計画は、特定の患者の医療計画を作成する際の元としての汎用性が高い。このため、主な疾病コードに応じた医療計画や主な患者属性コードに応じた医療計画を示すデータセットについては、予め記録媒体に格納しておき、コンピュータプログラムをロードする際に一緒にロードするように構成してもよい。
尚、入力手段を介して一又は複数の医療行為データの入力等があると、ファイル手段においても内容が適宜更新される。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】変更
【補正の内容】
【００１２】
請求項２に記載の医療計画作成支援システムは請求項１に記載の医療計画作成支援システムにおいて、前記所定フォーマットは、前記複数の医療行為データを前記実行時期順に並べるフォーマットであることを特徴とする。
【手続補正６】
【補正対象書類名】明細書
【補正対象項目名】００１３
【補正方法】変更
【補正の内容】
【００１３】
請求項２に記載の医療計画作成支援システムによれば、属性や疾病といった、特定の患者の状態に応じて修正変更された、例えば医療計画表或いはケアマップなどのフォーマットで、医療行為データを表示できる。
【手続補正７】
【補正対象書類名】明細書
【補正対象項目名】００１４
【補正方法】変更
【補正の内容】
【００１４】
請求項３に記載の医療計画作成支援システムは請求項１又は２に記載の医療計画作成支援システムにおいて、前記入力手段は、前記特定の患者に対して将来行われる予定の医療行為に代えて又は加えて、いずれか一つが択一的に将来行われる予定の複数の医療行為候補に対応する、前記患者属性コード及び前記疾病コードの少なくとも一方を指定可能であり、前記処理手段は、前記複数の医療行為を示すデータセットに代えて又は加えて、前記複数の医療行為候補を夫々示す複数のデータセットを取得し、前記表示手段は、該取得された複数のデータセットに基づいて、前記所定フォーマットで、前記複数の医療行為を夫々示す医療行為データに代えて又は加えて、前記複数の医療行為候補を夫々示す複数の医療行為データを表示することを特徴とする。
【手続補正８】
【補正対象書類名】明細書
【補正対象項目名】００１５
【補正方法】変更
【補正の内容】
【００１５】
請求項３に記載の医療計画作成支援システムによれば、将来行われる予定の医療行為に代えて又は加えて、いずれか一つが択一的に将来行われる予定の複数の医療行為候補に対応する、患者属性コード及び疾病コードの少なくとも一方が指定される。すると、処理手段により、複数の医療行為を示すデータセットに代えて又は加えて、複数の医療行為候補を夫々示す複数のデータセットが取得される。そして、該取得された複数のデータセットに基づいて、所定フォーマットで、複数の医療行為を夫々示す医療行為データに代えて又は加えて、複数の医療行為候補を夫々示す複数の医療行為データが表示手段により表示される。従って、例えば診断が確定する前などの医療計画の初期段階において、疾病や病状等が不明であり疾病等に応じて将来行われる可能性がある医療行為が各種存在する場合などに、医療計画を作成する際に大変便利である。また特に、このような候補を表示しつつ、属性や疾病といった、特定の患者の状態に応じて修正変更された医療行為候補を示す医療行為データを表示できる。
【手続補正９】
【補正対象書類名】明細書
【補正対象項目名】００１６
【補正方法】変更
【補正の内容】
【００１６】
請求項４に記載の医療計画作成支援システムは請求項３に記載の医療計画作成支援システムにおいて、前記所定フォーマットは、前記択一的に実行される予定の複数の医療行為候補を、実行時期候補順に並べるデシジョンツリーのフォーマットである。
【手続補正１０】
【補正対象書類名】明細書
【補正対象項目名】００１７
【補正方法】変更
【補正の内容】
【００１７】
請求項４に記載の医療計画作成支援システムによれば、医療行為データは、択一的に実行される予定の複数の医療行為候補を、実行時期候補順に並べるデシジョンツリーのフォーマットで表示手段により表示される。従って、複数の候補がある旨を分岐で示すデシジョンツリーを表示しつつ、このデシジョンツリー上における各医療行為候補の実行時期の自動設定を行うことも可能となる。
【手続補正１１】
【補正対象書類名】明細書
【補正対象項目名】００１８
【補正方法】変更
【補正の内容】
【００１８】
請求項５に記載の医療計画作成支援システムは請求項１から４のいずれか一項に記載の医療計画作成支援システムにおいて、前記複数のファイル手段は、前記医療行為データに加えて、前記一連の医療計画をなす複数の前記医療行為の各々について少なくとも相対的な実行時期を設定するための設定手順情報を夫々含み、前記処理手段は、前記設定手順情報に従って、所定の時間軸上における前記複数の医療行為の少なくとも相対的な実行時期を設定することを特徴とする。
【手続補正１２】
【補正対象書類名】明細書
【補正対象項目名】００１９
【補正方法】変更
【補正の内容】
【００１９】
請求項５に記載の医療計画作成支援システムによれば、ＣＰＵ等の処理手段により、ファイル手段に夫々含まれる設定手順情報に従って、所定の時間軸上における指定された複数の医療行為の少なくとも相対的な実行時期が設定される。ここに、少なくとも相対的な実行時期の設定とは、例えば、何月何日という具体的な日付けを設定する場合と、例えば入院日や手術日等を基準に何日前又は何日後であるかを設定する場合の両方を含む意味である。そして、このように実行時期が設定されると、例えば計画表や計画リスト等の所定フォーマットで、少なくとも実行時期が設定された複数の医療行為を夫々示す複数の医療行為データが表示される。
このように、医師等の医療計画作成者が、実行時期の指定抜きに、一連の医療計画をなす複数の医療行為の指定のための操作を行えば、設定手順情報に従って、それらの少なくとも相対的な実行時期が自動的に設定され、該自動的に設定された実行時期に基づいて、医療行為データが所定フォーマットで表示される。このため、相互に複雑に関連する複数或いは多数の医療行為が一連の医療計画をなすような場合でも、複数の医療行為間の前後関係や時期的な関係が適切に規定された医療計画が作成可能となる。また、一旦作成された一連の医療計画をなす複数の医療行為に対して、例えば医療行為を追加、変更或いは削除することにより複数の医療行為を新たに指定する場合等にも、設定手順情報に従って、各医療行為の実行時期が自動的に設定される。特に、属性や疾病といった特定の患者の状態に応じて医療計画を修正変更しても、設定手順情報に従って、各医療行為の実行時期が自動的に設定されるので便利である。
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００２９
【補正方法】削除
【補正の内容】
【手続補正２３】
【補正対象書類名】明細書
【補正対象項目名】００３０
【補正方法】削除
【補正の内容】
【手続補正２４】
【補正対象書類名】明細書
【補正対象項目名】００３１
【補正方法】削除
【補正の内容】
【手続補正２５】
【補正対象書類名】明細書
【補正対象項目名】００３２
【補正方法】削除
【補正の内容】
【手続補正２６】
【補正対象書類名】明細書
【補正対象項目名】００３３
【補正方法】削除
【補正の内容】
【手続補正２７】
【補正対象書類名】明細書
【補正対象項目名】００３４
【補正方法】削除
【補正の内容】
【手続補正２８】
【補正対象書類名】明細書
【補正対象項目名】００３５
【補正方法】削除
【補正の内容】
【手続補正２９】
【補正対象書類名】明細書
【補正対象項目名】００３６
【補正方法】削除
【補正の内容】
【手続補正３０】
【補正対象書類名】明細書
【補正対象項目名】００３７
【補正方法】削除
【補正の内容】
【手続補正３１】
【補正対象書類名】明細書
【補正対象項目名】００３８
【補正方法】削除
【補正の内容】
【手続補正３２】
【補正対象書類名】明細書
【補正対象項目名】００３９
【補正方法】削除
【補正の内容】
【手続補正３３】
【補正対象書類名】明細書
【補正対象項目名】００４０
【補正方法】削除
【補正の内容】
【手続補正３４】
【補正対象書類名】明細書
【補正対象項目名】００４１
【補正方法】削除
【補正の内容】
【手続補正３５】
【補正対象書類名】明細書
【補正対象項目名】００４２
【補正方法】削除
【補正の内容】
【手続補正３６】
【補正対象書類名】明細書
【補正対象項目名】００４３
【補正方法】削除
【補正の内容】
【手続補正３７】
【補正対象書類名】明細書
【補正対象項目名】００４４
【補正方法】削除
【補正の内容】
【手続補正３８】
【補正対象書類名】明細書
【補正対象項目名】００４５
【補正方法】削除
【補正の内容】
【手続補正３９】
【補正対象書類名】明細書
【補正対象項目名】００４６
【補正方法】削除
【補正の内容】
【手続補正４０】
【補正対象書類名】明細書
【補正対象項目名】００４７
【補正方法】削除
【補正の内容】
【手続補正４１】
【補正対象書類名】明細書
【補正対象項目名】００４８
【補正方法】削除
【補正の内容】
【手続補正４２】
【補正対象書類名】明細書
【補正対象項目名】００４９
【補正方法】削除
【補正の内容】
【手続補正４３】
【補正対象書類名】明細書
【補正対象項目名】００５０
【補正方法】削除
【補正の内容】
【手続補正４４】
【補正対象書類名】明細書
【補正対象項目名】００５１
【補正方法】削除
【補正の内容】
【手続補正４５】
【補正対象書類名】明細書
【補正対象項目名】００５２
【補正方法】削除
【補正の内容】
【手続補正４６】
【補正対象書類名】明細書
【補正対象項目名】００５３
【補正方法】削除
【補正の内容】
【手続補正４７】
【補正対象書類名】明細書
【補正対象項目名】００５４
【補正方法】削除
【補正の内容】
【手続補正４８】
【補正対象書類名】明細書
【補正対象項目名】００５５
【補正方法】削除
【補正の内容】
【手続補正４９】
【補正対象書類名】明細書
【補正対象項目名】００５６
【補正方法】削除
【補正の内容】
【手続補正５０】
【補正対象書類名】明細書
【補正対象項目名】００５７
【補正方法】削除
【補正の内容】
【手続補正５１】
【補正対象書類名】明細書
【補正対象項目名】００５８
【補正方法】削除
【補正の内容】
【手続補正５２】
【補正対象書類名】明細書
【補正対象項目名】００５９
【補正方法】削除
【補正の内容】
【手続補正５３】
【補正対象書類名】明細書
【補正対象項目名】００６０
【補正方法】削除
【補正の内容】
【手続補正５４】
【補正対象書類名】明細書
【補正対象項目名】００６１
【補正方法】削除
【補正の内容】
【手続補正５５】
【補正対象書類名】明細書
【補正対象項目名】００６２
【補正方法】削除
【補正の内容】
【手続補正５６】
【補正対象書類名】明細書
【補正対象項目名】００６３
【補正方法】削除
【補正の内容】